(57)【要約】【課題】磁石体８が初期位置Ｔと作動位置Ｓとの間を往復変位する際、コア３に対する磁石体８の電磁駆動力に変動が少なくて作動位置Ｓ側でも低下が生じない電磁ソレノイド装置１を提供する。【解決手段】磁石体８が初期位置Ｔから作動位置Ｓへ変位する時、圧縮コイルスプリング９の変位抑制作用を受けるものの、電磁反発力は縦壁部６ｂへの漸増する磁気吸引力により補われるため、作動位置Ｓ側での電磁駆動力に低下が生じない。磁石体８が作動位置Ｓから初期位置Ｔへ戻る時、磁石体８が圧縮コイルスプリング９の変位促進作用を受けるうえに、コア３側への漸増する磁気吸引力により補われるため、初期位置Ｔ側でも電磁駆動力に低下が生じず、優れた電磁駆動特性により誤作動や作動障害がなく、良好な駆動機能を長期にわたって維持できる。【選択図】図１
2011086651.tif 000002
【特許請求の範囲】
【請求項１】
磁性材によりハウジングとして形成されたヨーク内に設けられたコアと、
前記コアに設けられたコイル体と、
前記コアの一端面と軸方向に対向するように設けられ、横壁部と縦壁部とから成り、前記ヨークの軸直角方向に沿って断面略コ字状に形成された磁性材製の収容部と、
前記コアの一端面と前記収容部の前記縦壁部とにわたって配置され、軸方向に沿って往復変位可能に設けられた非磁性材製のプランジャーシャフトと、
前記プランジャーシャフトに固定され、外側面部が前記横壁部の内周面部と微小空隙を介して対向する磁石体と、
前記磁石体に対する一方向の変位を抑制し、他方向の変位を促進するように設けられた弾性手段とを備え、
前記コイル体への通電時、前記磁石体の磁束と前記コイル体からの磁束との間に生じる電磁反発力により、前記磁石体が変位を前記弾性手段により抑制されつつ、前記コア側の一端面から離間して前記プランジャーシャフトとともに初期位置から作動位置に変位し、前記作動位置で前記磁石体が前記収容部の前記縦壁部に磁気吸引力を働かせるようにし、  前記コイル体への通電を止めて、前記作動位置で前記磁石体を前記縦壁部から離間させた時、前記縦壁部に対する前記磁石体の磁気吸引力に抗し、前記磁石体が変位を前記弾性手段により促進されつつ、前記初期位置に戻り、前記コアの一端面に磁気吸引力を働かせるようにしたことを特徴とする電磁ソレノイド装置。
【請求項２】
前記弾性手段は、前記磁石体と前記収容部の前記縦壁部との間に配され、前記磁石体が前記初期位置から前記作動位置に変位するに伴って圧縮変位する圧縮コイルスプリングであり、前記コイル体への通電を止めても、前記磁石体は、前記縦壁部に対する磁気吸引力により前記圧縮コイルスプリングの付勢力に抗して前記作動位置に保持されることを特徴とする請求項１に記載の電磁ソレノイド装置。
【請求項３】
前記弾性手段は、前記磁石体と前記収容部の前記縦壁部との間に配され、前記磁石体が前記初期位置から前記作動位置に変位するに伴って圧縮変位する圧縮コイルスプリングであり、前記コイル体への通電を維持することにより、前記磁石体は、前記コアに対する電磁反発力と前記縦壁部に対する磁気吸引力とにより、前記圧縮コイルスプリングの付勢力に抗して前記作動位置に保持されることを特徴とする請求項１に記載の電磁ソレノイド装置。
【請求項４】
前記弾性手段は、前記磁石体と前記コアの一端面との間に配され、前記磁石体が前記初期位置から前記作動位置に変位するに伴って伸長変位する引張コイルスプリングであることを特徴とする請求項１に記載の電磁ソレノイド装置。
【請求項５】
前記プランジャーシャフトの一端部は、前記収容部の前記縦壁部を貫通して外部にあり、前記弾性手段は、前記プランジャーシャフトの前記一端部と前記縦壁部との間に設けられ、前記磁石体が前記初期位置から前記作動位置に変位するに伴って伸長変位する引張コイルスプリングであることを特徴とする請求項１に記載の電磁ソレノイド装置。
【請求項６】
前記収容部の前記縦壁部の内面部には、前記作動位置で前記磁石体を当接させる弾性パッドが設けられていることを特徴とする請求項１に記載の電磁ソレノイド装置。
【請求項７】
前記弾性パッドには、前記磁石体に対向する突状部が弾性手段として形成されていることを特徴とする請求項６に記載の電磁ソレノイド装置。
【発明の詳細な説明】
【技術分野】
【０００１】
本発明は、車載用の電装部品などの駆動に使用される電磁ソレノイド装置に関する。
【背景技術】
【０００２】
電磁ソレノイド装置の往復動機能は、各種のバルブ開閉機構をはじめ、ディスチャージ形前照灯のロー・ハイを配光制御するシェード、照射方向を上下調節するレベライザー、および自動変速機を搭載した車両（ＡＴ車）のシフトレバーロック装置などに適用されている。
【０００３】
往復動機能を有する機構の一例として、特許文献１には蒸発燃料処理システムに用いられる電磁弁装置が記載されている。この電磁弁装置では、コイルの上方に磁石収容部材に配置された永久磁石を備え、第１流路口側の圧力が第２流路口側よりも所定圧力以上に高くなると、第１弁部材はガスケットから離座して第１流体室を介して第１流路口と第２流路口とを連通する。
永久磁石の磁束と反発する方向にコイルを通電すると、永久磁石とコイルの電磁相互作用により、永久磁石が磁石収容部材とともに上方に離間変位し、作動位置で第１弁部材がガスケットに対して当接状態に押し付けられるようになる。
【先行技術文献】
【特許文献】
【０００４】
【特許文献１】特開２００２−４８２５８号公報
【発明の概要】
【発明が解決しようとする課題】
【０００５】
上記の電磁弁装置では、上方に変位する永久磁石がコイルから離れるに連れて、両者間に働く電磁駆動力としての反発力は急激に低下する（図２における符号Ｄの電磁駆動力Ｒ参照）。このため、ガスケットに対する第１弁部材の押付け力が低下し、作動位置においてガスケットに対する第１弁部材の保持力が不安定となる。
この状態で、車両の走行時に電磁弁装置が振動を受けると、第１弁部材の保持力が不安定のため、第１弁部材が揺動によりガスケットから離れ易くなり、誤作動や作動障害を生じて電磁弁装置の良好な駆動機能を維持できなくなる虞がある。
【０００６】
本発明は上記事情に鑑みてなされたもので、その目的は、磁石体が初期位置と作動位置との間を往復変位する際、磁石体に働く電磁駆動力に変動が少なくて、作動位置側での低下が生じず、優れた電磁駆動特性が得られ、また、初期位置および作動位置における磁石体の保持力を十分な値に設定できて誤作動や作動障害を生じず、初期の良好な駆動機能を長期にわたって維持できる電磁ソレノイド装置を提供することにある。
【課題を解決するための手段】
【０００７】
（請求項１について）
コアは、磁性材によりハウジングとして形成されたヨーク内に設けられている。コイル体は、コアに設けられている。磁性材製の収容部は、コアの一端面と軸方向に対向するように設けられ、横壁部と縦壁部とから成り、ヨークの軸直角方向に沿って断面略コ字状に形成されている。非磁性材製のプランジャーシャフトは、コアの一端面と収容部の縦壁部にわたって配置され、軸方向に沿って往復変位可能に設けられている。磁石体は、プランジャーシャフトに固定され、外側面部が横壁部の内周面部と微小空隙を介して対向する。弾性手段は、磁石体に対する所定方向の変位を抑制し、他方向の変位を促進するように設けられている。
コイル体への通電時、磁石体の磁束とコイル体からの磁束との間に生じる電磁反発力により、磁石体が変位を弾性手段により抑制されつつ、コアの一端面から離間してプランジャーシャフトとともに初期位置から作動位置に変位し、作動位置で磁石体が収容部の縦壁部に磁気吸引力を働かせる。
作動位置で磁石体を縦壁部から離間させた時、縦壁部に対する磁石体の磁気吸引力に抗し、磁石体が変位を弾性手段により促進されつつ、初期位置に戻り、コアの一端面に磁気吸引力を働かせるようにしている。
【０００８】
磁石体が初期位置から作動位置に到る往路では、磁石体が電磁反発力によりコアの一端面から離間して電磁反発力が急激に減少するものの、磁石体が変位を弾性手段により抑制されつつ（変位抑制作用）、収容部の縦壁部に漸増する磁気吸引力を働かせて作動位置側での電磁駆動力を補う。
弾性手段の変位抑制作用は、磁石体が収容部の縦壁部に対する磁気吸引力により、縦壁部に急激に移動しないようにする緩和作用を果たすもので負の値をとる。
すなわち、往路では、減少する電磁反発力は、漸増する磁気吸引力により補われるため、磁石体の変位に要する電磁駆動力は、電磁反発力と漸増する磁気吸引力と弾性手段の変位抑制作用の総和で変動の少ない略一定の値となって、作動位置側での電磁駆動力に低下が生じない。
【０００９】
磁石体を作動位置から初期位置に戻す復路では、コイル体への通電は止まっており、弾性手段の付勢力を縦壁部に対する磁石体の磁気吸引力よりも大きく設定した場合には、磁石体は変位を弾性手段により促進されつつ（変位促進作用）、縦壁部へ漸減する磁気吸引力を働かせながら、コアへ漸増する磁気吸引力を働かせるようになる。
すなわち、復路では、コアへの磁気吸引力が縦壁部への磁気吸引力により減少させられながらも、弾性手段の変位促進作用により補われるため、電磁駆動力が変動の少ない略一定の値となって、初期位置側でも電磁駆動力に低下が生じない。
【００１０】
この結果、磁石体が初期位置と作動位置との間を往復変位する際、磁石体に対する電磁駆動力の低下が生じず、優れた電磁駆動特性が得られ、初期位置および作動位置における磁石の保持力を十分な値に設定することができて誤作動や作動障害を生じず、電磁ソレノイド装置として初期の良好な駆動機能を長期にわたって維持することができる。
しかも、良好な駆動機能の実現のためには、磁石体および弾性手段を設けるといった簡素な構造でよく、構造が複雑化せずコスト的にも有利である。
【００１１】
（請求項２について）
弾性手段は、磁石体と収容部の縦壁部との間に配され、磁石体が初期位置から作動位置に変位するに伴って圧縮変位する圧縮コイルスプリングである。コイル体への通電を止めても、磁石体は、縦壁部に対する磁気吸引力により圧縮コイルスプリングの付勢力に抗して作動位置に保持される。
【００１２】
この場合、磁石体が初期位置から作動位置に変位するに伴って、変位を抑制する弾性手段として、圧縮変位する圧縮コイルスプリングを用いている。収容部の縦壁部に対する磁石体の磁気吸引力が、圧縮コイルスプリングの付勢力よりも大きくなるように設定している。このため、別部材を設けることなく、簡素な構造で磁石体を作動位置に保持することができる。
【００１３】
（請求項３について）
弾性手段は、磁石体と収容部の縦壁部との間に配され、磁石体が初期位置から作動位置に変位するに伴って圧縮変位する圧縮コイルスプリングである。コイル体への通電を維持することにより、磁石体は、コア側に対する電磁反発力と縦壁部に対する磁気吸引力とにより、圧縮コイルスプリングの付勢力に抗して作動位置に保持される。
この場合、請求項２と同様に別部材を設けることなく、簡素な構造で磁石体を作動位置に保持することができる。
【００１４】
（請求項４について）
弾性手段は、磁石体とコアの一端面との間に配され、磁石体が初期位置から作動位置に変位するに伴って伸長変位する引張コイルスプリングである。
この場合、引張コイルスプリングの伸長変位が、請求項１における圧縮コイルスプリングの圧縮変位に相当するので、弾性手段として引張コイルスプリングを用いても、請求項１と同様な効果を奏することができる。
【００１５】
（請求項５について）
プランジャーシャフトの一端部は、収容部の縦壁部を貫通して外部にあり、弾性手段は、プランジャーシャフトの一端部と縦壁部との間に設けられ、磁石体が初期位置から作動位置に変位するに伴って伸長変位する引張コイルスプリングである。
【００１６】
この場合、引張コイルスプリングの伸長変位が、請求項１の圧縮コイルスプリングの圧縮変位に相当するので、引張コイルスプリングを弾性手段としてプランジャーシャフトと縦壁部との間に設けても、請求項１と同様な効果を奏することができる。
【００１７】
（請求項６について）
収容部の縦壁部の内面部には、作動位置で磁石体を当接させる弾性パッドが設けられている。このため、コイル体への通電時、磁石体が弾性パッドに当接して衝撃を緩和することができる。
【００１８】
（請求項７について）
弾性パッドには、磁石体に対向する突状部が弾性手段として形成されている。
この場合、突状部が弾性手段として機能するので、圧縮や引張コイルスプリングを別の箇所に設ける必要がなくなり省スペース化に寄与する。
【図面の簡単な説明】
【００１９】
【図１】（ａ）はコイル体に対して無通電時の電磁ソレノイド装置を示す概略的縦断面図、（ｂ）はコイル体に対して通電時の電磁ソレノイド装置を示す概略的縦断面図である（実施例１）。
【図２】磁石体の変位量（ストローク）と電磁駆動力との関係を示す電磁駆動特性図（但し、符号Ｄの電磁駆動力Ｒを従来として記している）
【図３】（ａ）はコイル体に対して無通電時の電磁ソレノイド装置を示す概略的縦断面図、（ｂ）はコイル体に対して通電時の電磁ソレノイド装置を示す概略的縦断面図である（実施例２）。
【図４】（ａ）、（ｂ）は電磁ソレノイド装置を示す概略的縦断面図である（実施例３、４）。
【図５】電磁ソレノイド装置を示す概略的縦断面図である（実施例５）。
【発明を実施するための形態】
【００２０】
本発明では、磁石体が初期位置と作動位置との間を往復変位する際、磁石体に働く電磁駆動力が変動の少ない略一定の値となって、作動位置側での電磁駆動力に低下が生じず、優れた電磁駆動特性が得られ、初期位置および作動位置における磁石体の保持力を十分な値に設定できて誤作動や作動障害を生じず、電磁ソレノイド装置として初期の良好な駆動機能を長期にわたって維持できる。
【実施例１】
【００２１】
図１および図２は本発明の実施例１による電磁ソレノイド装置１を示す。電磁ソレノイド装置１は、各種のバルブの開閉を行うアクチュエータをはじめ、ディスチャージ形前照灯のロー・ハイを配光制御するシェード、照射方向を上下調節するレベライザー、および自動変速機を搭載した車両（ＡＴ車）のシフトレバーロック装置などの被駆動体（図示せず）の作動に使用される。
【００２２】
電磁ソレノイド装置１は、図１（ａ）に示すように、ハウジングとして磁性材により形成されたヨーク２を有している。ヨーク２は図示左側に閉塞部２ａを有し、図示右側に開口部２ｂを有する円筒状に形成され、内部に柱状のコア３を同心的に配置している。コア３には、軸方向に指向する摺動孔４が形成され、外周部にはコイル体５が設けられている。
【００２３】
磁性材製の収容部６は、ヨーク２の開口部２ｂに嵌込み固定されて、コア３の一端面３ａと軸方向に対向するように設けられている。キャップ状の収容部６は、横壁部６ａと縦壁部６ｂとから成り、ヨーク２の軸直角方向に沿って断面略コ字状を呈している。
非磁性材製のプランジャーシャフト７は、コア３の一端面３ａと収容部６の縦壁部６ｂにわたって配置され、軸方向に沿って往復変位可能に設けられている。
すなわち、プランジャーシャフト７の一端部７ａは、縦壁部６ｂの中央部に形成された挿通孔６ｃを通過して外部に延出し、他端７ｂはコア３の一端面３ａに形成された摺動孔４にスライド可能に挿通されている。
【００２４】
プランジャーシャフト７の略中央部には、例えば円盤状を成す磁石体８が固定され、外側面部８ａが横壁部６ａの内周面部と微小空隙Ｇを介して対向する。磁石体８と収容部６の縦壁部６ｂとの間には、磁石体８に対する一方向の変位を抑制し、他方向の変位を促進する弾性手段として圧縮コイルスプリング９が設けられている。
すなわち、圧縮コイルスプリング９は、一端部９ａを磁石体８に取り付け、他端部９ｂを縦壁部６ｂに取り付け、磁石体８がコア３の一端面３ａに近接する方向に付勢している。磁石体８の磁束Ｊは、図１（ａ）の矢印で示すように、磁石体８から微小空隙Ｇおよび横壁部６ａを介してヨーク２に流れている。
【００２５】
縦壁部６ｂの磁石体８に対向する内面部には、所定の厚みを有する環状のゴムパッドＰａが、圧縮コイルスプリング９の内部で弾性パッドとしてプランジャーシャフト７に嵌め込まれた状態に取り付けられている。ゴムパッドＰａの厚みは、最大圧縮時の圧縮コイルスプリング９の厚みよりも大きく設定し、後述すようにコイル体５への通電時に、磁石体８が衝撃緩和のためゴムパッドＰａに当接するようにしている。
【００２６】
コイル体５への通電時、図１（ｂ）の矢印で示すように、磁束Ｋがコア３、微小間隙Ｇおよびヨーク２にかけて流れる。磁石体８の磁束Ｊとコイル体５からの磁束Ｋとの間に生じる電磁反発力により、磁石体８が圧縮コイルスプリング９の圧縮変位により変位を抑制されながら、図１（ｂ）の矢印Ｈで示すように、コア３の一端面３ａから離間する方向に変位してプランジャーシャフト７とともに初期位置Ｔから作動位置Ｓに到る。作動位置Ｓでは、磁石体８がゴムパッドＰａを介して収容部６の縦壁部６ｂに当接して磁気吸引力を働かせる。
【００２７】
この場合、収容部６の縦壁部６ｂに対する磁石体８の磁気吸引力Ｆ３を圧縮コイルスプリング９の付勢力よりも大きく設定している。このため、コイル体５への通電を止めても、磁石体８は、作動位置Ｓで磁気吸引力によりゴムパッドＰａを介して収容部６の縦壁部６ｂに吸着保持されている。
【００２８】
磁石体８が初期位置Ｔから作動位置Ｓに到る往路では、磁石体８が電磁反発力によりコア３の一端面３ａから離間し、電磁反発力は急激に減少するものの、図２に符号Ａで示すように、磁石体８が変位を圧縮コイルスプリング９の付勢力により抑制されつつ（変位抑制作用Ｆ１）、図２に符号Ｂで示すように、収容部６の縦壁部６ｂに漸増する磁気吸引力Ｆ２を働かせて作動位置Ｓへの電磁駆動力を補う。
【００２９】
圧縮コイルスプリング９の変位抑制作用Ｆ１は、磁石体８が収容部６の縦壁部６ｂに対する磁気吸引力Ｆ２により、縦壁部６ｂに急激に移動しないようにする緩和作用を果たすもので、往路の電磁駆動力に対して負の値をとる。このため、図２の変位抑制作用Ｆ１は、右下がりの負の傾きを有する直線で示す。
すなわち、往路では、減少する電磁反発力は、漸増する磁気吸引力Ｆ２により補われるため、磁石体８の変位に要する電磁駆動力Ｆ３は、図２に符号Ｃで示すように、電磁反発力と磁気吸引力Ｆ２と変位抑制作用Ｆ１の総和で変動の少ない略一定の値となって、作動位置Ｓ側での電磁駆動力Ｆ３に低下が生じず、開閉弁などを制御する車両用の電磁ソレノイド装置として理想的な特性となる。
【００３０】
磁石体８を作動位置Ｓから初期位置Ｔに戻す復路では、コイル体５への通電は止まっており、適宜の解除手段（図示せず）を用いて、磁石体８を縦壁部６ｂに対する磁気吸引力に抗して縦壁部６ｂから強制的に離間させる。
【００３１】
これに伴い、圧縮コイルスプリング９の蓄勢力が解放されて元の形状に復帰するため、磁石体８は、初期位置Ｔへの変位を促進されつつ（変位促進作用）、縦壁部６ｂへ漸減する磁気吸引力Ｆ２を働かせながら、コア３へ漸増する磁気吸引力を働かせるようになる。変位促進作用は、復路の電磁駆動力に対して変位抑制作用Ｆ１と略同一の大きさで正の値をとる。
すなわち、復路では、コア３への磁気吸引力が縦壁部６ｂへの磁気吸引力Ｆ２により減少させられながらも、圧縮コイルスプリング９の変位促進作用により補われるため、電磁駆動力Ｆ３が変動の少ない略一定の値となって、初期位置Ｔ側でも電磁駆動力に低下が生じない。
【００３２】
この結果、磁石体８が初期位置Ｔと作動位置Ｓとの間を往復変位する際、磁石体８に対する電磁駆動力の低下が生じず、優れた電磁駆動特性が得られ、初期位置Ｔおよび作動位置Ｓにおける磁石体８の保持力を十分な値に設定することができて誤作動や作動障害を生じず、電磁ソレノイド装置として初期の良好な駆動機能を長期にわたって維持することができる。
しかも、良好な駆動機能の実現のためには、磁石体８および圧縮コイルスプリング９を設けるといった簡素な構造でよく、構造が複雑化せずコスト的にも有利である。
【００３３】
圧縮コイルスプリング９は往路で変位抑制作用を有し、復路では変位促進作用を有するので、圧縮コイルスプリング９のばね定数を変更することにより、変位抑制作用および変位促進作用の各大きさが変わるため、使用状況などに応じて電磁駆動特性を所望に修正することができる。
【００３４】
また、作動位置Ｓでは、収容部６の縦壁部６ｂに対する磁石体８の磁気吸引力が、圧縮コイルスプリング９の付勢力よりも大きくなるように設定している。
このため、別部材を付加することなく、簡素な構造で磁石体８を作動位置Ｓに保持することができる。
【００３５】
なお、磁石体８が作動位置に到っても、コイル体５への通電を維持することにより、コア３に対する電磁反発力と縦壁部６ｂに対する磁気吸引力とにより、磁石体８が圧縮コイルスプリング９の付勢力に抗して作動位置Ｓに保持されるようにしてもよい。
この場合も、別部材を用いることなく、簡素な構造で磁石体８を作動位置Ｓに保持することができる。
【実施例２】
【００３６】
図３は本発明の実施例２を示す。実施例２が実施例１と異なるところは、圧縮コイルスプリング９の代りに、引張コイルスプリング１０をコア３の一端面３ａと磁石体８との間に設けたことである。
引張コイルスプリング１０は、一端部１０ａをコア３の一端面３ａに取り付け、他端部１０ｂを磁石体８に取り付け、磁石体８をコア３の一端面３ａに近接する方向に付勢している。
【００３７】
磁石体８が初期位置Ｔから作動位置Ｓに変位する際、図３（ａ）から図３（ｂ）への変位で示すように、引張コイルスプリング１０は引っ張られることにより伸長変位をする。この伸長変位は、実施例１の圧縮コイルスプリング９の圧縮変位に相当するもので、変位抑制作用として働く。
磁石体８が作動位置Ｓから初期位置Ｔに戻る復路では、図３（ｂ）から図３（ａ）への変位で示すように、引張コイルスプリング１０の蓄勢力が解放されて元の形状に復帰するため、引張コイルスプリング１０は、実施例１の圧縮コイルスプリング９が復帰する場合と同様に変位促進作用として働く。
【００３８】
このため、磁石体８の往路では、引張コイルスプリング１０の伸長変位（変位抑制作用）を圧縮コイルスプリング９の圧縮変位とし、磁石体８の復路では、引張コイルスプリング１０の復帰変位（変位促進作用）を実施例１の圧縮コイルスプリング９の復帰変位と読み替えることにより、実施例１と同様に働くため、実施例１と同様な効果が得られる。
【実施例３】
【００３９】
図４（ａ）は本発明の実施例３を示す。実施例３が実施例１と異なるところは、引張コイルスプリング１１を収容部６の外部に設けたことである。
すなわち、引張コイルスプリング１１の一端部１１ａは、プランジャーシャフト７の一端部７ａに取り付けられ、他端部７ｂは収容部６の縦壁部６ｂに取り付けられ、磁石体８をコア３の一端面３ａから離間する方向に付勢している。
引張コイルスプリング１１は、磁石体８が初期位置Ｔから作動位置Ｓに変位するに伴って伸長変位して、圧縮変位する実施例１の圧縮コイルスプリング９と同様に働くため、実施例１と同様な効果を奏する。
【実施例４】
【００４０】
図４（ｂ）は本発明の実施例４を示す。実施例４が実施例１と異なるところは、圧縮コイルスプリング１２を摺動孔４内に同芯的に設け、圧縮コイルスプリング１２にプランジャーシャフト７の他端部７ｂを摺動可能に嵌合させたことである。
すなわち、圧縮コイルスプリング１２は、一端部１２ａを摺動孔４の開口内周縁部に取り付け、他端部１２ｂをプランジャーシャフト７の他端部７ｂに取り付け、磁石体８をコア３の一端面３ａから離間する方向に付勢している。
圧縮コイルスプリング１２は、磁石体８が初期位置Ｔから作動位置Ｓに変位するに伴って圧縮変位して、実施例１の圧縮コイルスプリング９と同様に働くため、実施例１と同様な効果を奏する。
【実施例５】
【００４１】
図５は本発明の実施例５を示す。実施例５が実施例１と異なるところは、圧縮コイルスプリング１２に代わって、ゴムパッドＰａの外表面部に環状の突状部１３を弾性手段として一体に形成したことである。突状部１３は、断面略半円弧状を成し、その突出方向を磁石体８に対向するよう指向させている。
【００４２】
コイル体５への通電時、磁石体８は作動位置で突状部１３に当接することにより、突状部１３を弾性圧縮させる。コイル体５への通電を止めた時、突状部１３に蓄えられた弾性圧縮力が解放されることにより、磁石体８が作動位置Ｓから初期位置Ｔに戻るため、実施例１と同様な効果を奏する。
【００４３】
この場合、突状部１３が弾性手段として機能するので、圧縮や引張コイルスプリングを別の箇所に設ける必要がなくなり省スペース化に寄与する。
なお、突状部１３は連続した環状に限らず、半球状の小突起を同一ループ上に間欠配置して形成してもよい。また、突状部１３はゴムパッドＰａと一体に限らず、別体としてゴムパッドＰａに形成してもよく、形状としては断面略半円弧状に限らず、円錐状、円柱状あるいは楕円体であってもよく、要は突状部１３の圧縮変形時に蓄勢力を解放可能に保有できるものであればよい。突状部１３は中空に限らず中実であってもよい。
【００４４】
（変形例）
（ａ）上記実施例１〜５では、磁石体８を円盤状に形成したが、四角形、五角形、六角形、多角形あるいは球体や楕円体でもよい。この場合、収容部６の横壁部６ａは、磁石体８の形状に対応するように形成される。
【００４５】
（ｂ）磁石体９はネオジウム磁石としたが、ネオジウム磁石に代わって、ＫＳ鋼、ＭＫ鋼、アルニコ磁石、フェライト磁石、サマリウムコバルト磁石、ゴムをバインダーとしてフェライト粉末を配合分散させたゴム磁石、あるいは磁石と磁性体とを組み合わせた複合磁石を用いてもよい。
【００４６】
（ｃ）弾性手段としては、圧縮コイルスプリング９、１２や引張コイルスプリング１０、１１に限らず、捩りコイルスプリングや板ばねを使用してもよい。
（ｄ）ゴムパッドＰａの材質としては、ＳＢＲ（スチレンブタジエンラバー）、ＩＲ（イソプレンラバー）あるいはＣＲ（クロロプレンラバー）であってもよい。
【産業上の利用可能性】
【００４７】
本発明では、磁石体が初期位置と作動位置との間を往復変位する際、磁石体の変位に要する電磁駆動力が変動の少ない略一定の値となって、作動位置側での電磁駆動力に低下が生じず、優れた電磁駆動特性が得られる。初期位置および作動位置における磁石体の保持力を十分な値に設定できて誤作動や作動障害を生じず、電磁ソレノイド装置として初期の良好な駆動機能を長期にわたって維持できる。このため、車両搭載用の電磁ソレノイド装置として好適となり、車両関連事業の需要を喚起し、部品の流通を介して機械産業に適用することができる。
【符号の説明】
【００４８】
１      電磁ソレノイド装置
２      ヨーク
３      コア
３ａ    コアの一端面
５      コイル体
６      収容部
６ａ    収容部の横壁部
６ｂ    収容部の縦壁部
６ｃ    縦壁部の挿通孔
７      プランジャーシャフト
７ａ    プランジャーシャフトの一端部
７ｂ    プランジャーシャフトの他端部
８      磁石体
９、１２    圧縮コイルスプリング（弾性手段）
１０、１１  引張コイルスプリング（弾性手段）
１３    ゴムパッドの突状部（弾性手段）
Ｇ      微小空隙
Ｊ      磁石体による磁束
Ｋ      コイル体による磁束
Ｐａ    ゴムパッド（弾性パッド）
Ｔ      初期位置
Ｓ      作動位置
【図１】
2011086651.tif 000003
【図２】
2011086651.tif 000004
【図３】
2011086651.tif 000005
【図４】
2011086651.tif 000006
【図５】
2011086651.tif 000007